(57)【要約】【課題】流し台の前面側からでも、背面側からでも吐水口を使用することができ、また、シンクの左右方向のどの位置でも吐水口を使用することができ、しかも吐水口の台座が汚れることのない流し台用機能ユニットを提供する。【解決手段】床面から立ち上がる右立上部７ａと、左立上部７ｂと、該右立上部７ａと左立上部７ｂとに連結され、シンク４を備えた流し台１の上面部３の上方に間隔を空けて配置される水平部７ｃとからなる略門型状の構造体７で構成された機能ユニット６であって、該構造体７には、給水路１３ａ，１３，１４が設けられているとともに、吐水口８が該構造体７に沿ってスライド移動可能かつ水平面内で回動可能に前記水平部７ｃに吊り下げられている。【選択図】図２
2008214917.tif 000002
【特許請求の範囲】
【請求項１】
床面から立ち上がる右立上部と、左立上部と、該右立上部と左立上部とに連結され、シンクを備えた流し台の上面部の上方に間隔を空けて配置される水平部とからなる略門型状の構造体で構成された機能ユニットであって、
該構造体には、給水路が設けられているとともに、吐水口が該構造体に沿ってスライド移動可能かつ水平面内で回動可能に前記水平部に吊り下げられている
ことを特徴とする流し台用機能ユニット。
【発明の詳細な説明】
【技術分野】
【０００１】
本発明は、流し台用の機能ユニットに関するものである。
【背景技術】
【０００２】
従来、特許文献１に開示されているようなシステムキッチンが存在する。
これは、床上に自立した第一および第二の機能部材を第三の機能部材で互いに固定してアーチ状とし、第一および第二の機能部材でキッチンカウンターを水平に保持し、第三の機能部材に電気系統を収納し、下面に照明器具を備えて構成したものである。
また、従来、吐水口が横方向にスライドできる水栓装置として、特許文献２に開示されているようなものがある。
【特許文献１】特開２００６−２２３６４４号公報
【特許文献２】特開２０００−２２０１７７号公報
【発明の開示】
【発明が解決しようとする課題】
【０００３】
上記特許文献１に開示されているシステムキッチンにおいては、キッチンカウンターの上方の第三の機能部材内には電気系統のみが設けられているものであり、また、水栓はキッチンカウンター上に立設されており、このキッチンカウンター上の水栓の台座に水が垂れて汚れ易いという問題点があり、また、このシステムキッチンは、水栓の向いている前側からのみ使用が可能であり、背面側からシステムキッチンを使用することはできないという問題点があった。
また、上記特許文献２に開示されている吐水口はスライド可能であるが、壁付式であり、この吐水口も前面側からしか使用できないという問題点があった。
【課題を解決するための手段】
【０００４】
本発明は上記従来の問題点に鑑み案出したものであって、水栓の台座に水が垂れて汚れることがなく、また、流し台の前面側からでも背面側からでも吐水口を使用することができ、さらにシンクの左右方向のどの位置でも吐水口を使用することができる流し台用機能ユニットを提供するものであり、その請求項１は、床面から立ち上がる右立上部と、左立上部と、該右立上部と左立上部とに連結され、シンクを備えた流し台の上面部の上方に間隔を空けて配置される水平部とからなる略門型状の構造体で構成された機能ユニットであって、該構造体には、給水路が設けられているとともに、吐水口が該構造体に沿ってスライド移動可能かつ水平面内で回動可能に前記水平部に吊り下げられていることである。
【発明の効果】
【０００５】
本発明は、床面から立ち上がる右立上部と、左立上部と、該右立上部と左立上部とに連結され、シンクを備えた流し台の上面部の上方に間隔を空けて配置される水平部とからなる略門型状の構造体で構成された機能ユニットであって、該構造体には、給水路が設けられているとともに、吐水口が該構造体に沿ってスライド移動可能かつ水平面内で回動可能に前記水平部に吊り下げられていることにより、流し台の前面側からでも、背面側からでも吐水口を使用することができるものとなり、また、シンクの左右方向のどの位置でも吐水口を使用することができる。
また、吐水口は吊り下げ式であるため、台座に水が垂れて汚れることがない。
【実施例】
【０００６】
以下、本発明の実施例を図面に基づいて説明する。
図１は、流し台に機能ユニットを設置した状態の斜視構成図であり、図２は、機能ユニットのカバーを外した状態の斜視構成図である。
【０００７】
図において、流し台１は、収納キャビネット２上に上面カウンター部３が設けられ、この上面カウンター部３にはシンク４とコンロ部５が設けられている。
この流し台１の上面カウンター部３の上方に間隔を空けて機能ユニット６の水平部７ｃが配置され、この機能ユニット６は門型形状の構造体７で構成されている。
この機能ユニットを構成する構造体７は、床面Ｆから立ち上がる右立上部７ａと左立上部７ｂの上端が水平部７ｃで連結されて、全体として門型状に形成されており、右立上部７ａは流し台の収納キャビネット２の右側面に沿って立設され、左立上部７ｂは収納キャビネット２の左側面に沿って立ち上げられている。
【０００８】
図２に示すように、床面Ｆから立ち上げられた給水管立上部１３ａが右立上部７ａ内に配管されており、給水管立上部１３ａの上端は、構造体７の水平部７ｃ内に配管された給水管１３に連通され、給水管１３の先端には可撓性の給水ホース１４が接続されている。
【０００９】
なお、図３には、機能ユニット６の構造体７を上面側から見た平面構成を示している。
給水ホース１４は水平面内でＵ字状に曲げられて、その先端は吐水口８に接続されている。
なお、構造体７を構成する水平部７ｃには、前後側に一対のパイプフレーム１０，１０が水平に設けられており、前後側の各パイプフレーム１０は、それぞれ左右方向に間隔を置いて複数設けられている支持部材１１に挿通されて組み付けられており、複数の支持部材１１の底側には複数のフレーム底板１２が固設されている。この前後側のパイプフレーム１０，１０間に、前記給水管１３および給水ホース１４が配管されている。
【００１０】
また、図示左側のフレーム底板１２には吐水口８が設けられ、この部分の縦断面拡大構成図を図４に示す。
図４のように、吐水口８を構成する水平管部８ａの後端には上方へ湾曲して湾曲管部８ｂが連続し、湾曲管部８ｂの上端の連結回動部８ｅ上に回動可能に垂直基部８ｃが連結されており、この垂直基部８ｃの上端側に、可撓性の給水ホース１４が接続される給水ホース接続部８ｄが形成されている。
この給水ホース接続部８ｄの下方の垂直基部８ｃには、水平なスライド座板１６が嵌め込まれて固定されており、このスライド座板１６は、フレーム底板１２上の前後の支持部材１１，１１間に左右方向に延びて固定されているレール１５，１５上に、摺動可能に載置されている。
【００１１】
また、フレーム底板１２には、垂直基部８ｃが貫通される開口１２ａが左右方向に長孔状に開口されている。
従って、吐水口８は、給水管立上部１３ａ，給水管１３，給水ホース１４を通り供給される湯水が給水ホース接続部８ｄから垂直基部８ｃ内に供給されて、水平管部８ａの先端から吐水されるように構成され、この吐水口８は、一対のレール１５，１５上をスライド座板１６が水平方向にスライド移動できて、シンク４の上方で左右方向の位置を任意に変更できるものである。しかも、連結回動部８ｅを介して、垂直基部８ｃに対し水平管部８ａを水平面内で回動させることができるものである。
【００１２】
なお、通常の状態では、構造体７の左右の立上部７ａ，７ｂには、それぞれ縦カバー９ａが覆設され、また水平部７ｃにも複数のカバー９ｂが覆設され、立上部７ａ，７ｂと水平部７ｃの連結部にはコーナーカバー９ｃが覆設されており、このカバー９ａ，９ｂ，９ｃは断面コの字状に形成されたものであり、支持部材１１，パイプフレーム１０，吐水口の垂直基部８ｃ，レール１５，スライド座板１６，給水管立上部１３ａ，給水管１３，給水ホース１４等を良好に隠蔽させることができ、図１のようなすっきりとした機能ユニット６の設置状態が得られるものである。
【００１３】
なお、図５に示す縦断面拡大構成図は、吐水口８のスライド機構部の変更例であり、図５では、前後の支持部材１１，１１間のフレーム底板１２上に、レール台１５ａを介して１本のレール１５が左右方向に延びて設置されており、このレール１５上に摺動移動可能に載置されるスライド座板１６は、レール１５上に載る水平部１６ａと、この水平部１６ａの前端から垂下された垂下部１６ｂと、垂下部１６ｂの下端から前方側へ水平に延びる連結部１６ｃで構成されており、この連結部１６ｃに吐水口８の垂直基部８ｃが嵌め込み固定されている。
【００１４】
その他の構成は図４のものと同様であり、レール１５上にスライド座板１６の水平部１６ａが当接して、この水平部１６ａが構造体７に沿って左右方向にスライド移動することで吐水口８が左右方向に移動でき、シンク４上で左右方向に吐水口８を任意の位置に移動させて使用することができるものである。
なお、本例では、構造体７の水平部７ｃに１個の吐水口８を設けたものを例示しているが、複数の吐水口８を、水平部７ｃにそれぞれスライド移動可能に設けることもできるものである。
【００１５】
なお、図６は、構造体の水平部７ｃの、吐水口８の存在しない部分の縦断面拡大構成図であり、フレーム底板１２上の前後の支持部材１１，１１間の空間内には、良好に給水管１３を収納させることができるものであり、また、給水管１３と同様に電線１７等の配線も良好に収納させることができ、機能ユニット６に任意に照明器等も付設させることができるものである。
【００１６】
なお、図７は、機能ユニット６の吐水口８付近を拡大した斜視構成図であり、図８は、その平面構成図を示すものである。
図に示すように、吐水口８は構造体７に沿ってシンク４の上方で左右方向の任意の位置に移動させて、Ｐ１の位置で使用することもでき、またＰ２の位置で使用することもでき、更には、吐水口８の垂直基部８ｃを中心として水平面内で水平管部８ａをＰ３，Ｐ４，Ｐ５，Ｐ６，Ｐ７の任意の位置に回動させて使用することができるものである。即ち、シンク４の左右方向のどの位置でも吐水口８を使用することができ、また、流し台１の前面１ａ側からでも、背面１ｂ側からでも吐水口８を使用することができるものとなる。
【００１７】
即ち、半島型、あるいはアイランド型の流し台１に対し、その略中央部に門型の機能ユニット６を床面Ｆから自立させて設置することで、流し台１を前面１ａ側からでも背面１ｂ側からでも使用することができるものとなり、しかも機能ユニット６には、スライド移動可能に吐水口８あるいは照明器等の機能部材を設けることができ、流し台１の上面カウンター部３に穴を開けて水栓を設置する必要がなく、機能ユニット６の設置により、流し台１の機能を好みに応じて作り変えることができるものとなる。
また、従来のように上面カウンター部３上に立設された水栓においては、その座部に水が垂れて汚れが目立っていたが、本例では、吐水口８は、機能ユニット６の構造体７から吊り下げ状に設けられているため、水が垂れて汚れることがなく、良好な美観を維持することができるものである。
【００１８】
なお、図９は変更例を示すものであり、図９では、機能ユニット６の右立上部７ａの側方に一体または別体で機能収納部１８を設けたものであり、この機能収納部１８には扉が備えられており、扉を開けて内部に収納されている機能部材を良好にメンテナンスできるものである。
なお、機能収納部１８内には、例えば止水栓，制御基盤，電磁弁等を収納させておくことができ、これらの機能部材を機能収納部１８内の１カ所に集めることで、メンテナンス性が良好なものとなる。他の構成は、図１のものと同様である。
【００１９】
また、図１０は、流し台１の構成を変更したものであり、図１０では、流し台は、シンク４を上面に備えたベースキャビネット１０１と、上面カウンター３を有し底側にキャスター１９を設けた別体のサイドキャビネット１０２で構成されており、ベースキャビネット１０１とサイドキャビネット１０２を適宜つなぎ合わせた状態で配置させて使用できるものである。
このような形式，構成の異なる流し台においても、門型状の機能ユニット６を設置することで吐水口８等の機能部材を良好に配置させることができ、ベースキャビネット１０１あるいはサイドキャビネット１０２に穴等を開けて水栓等を取り付ける必要がなく、ベースキャビネット１０１あるいはサイドキャビネット１０２を傷付けることなく、後発的に吐水口８等の機能部材を機能ユニット６の設置により追加することができるものである。
【図面の簡単な説明】
【００２０】
【図１】流し台に機能ユニットを配置させた斜視構成図である。
【図２】図１の機能ユニットのカバーを取り外した状態の斜視構成図である。
【図３】カバーを取り外した状態の機能ユニットの平面構成図である。
【図４】機能ユニットの吐水口の部分の縦断面拡大構成図である。
【図５】吐水口の取付構造の変更例を示す縦断面拡大構成図である。
【図６】機能ユニットの配管部分の縦断面拡大構成図である。
【図７】機能ユニットの設置状態の要部拡大斜視構成図である。
【図８】機能ユニットに設けた排水口の使用範囲を示す平面構成図である。
【図９】機能ユニットに機能収納部を設けた場合の設置状態の斜視構成図である。
【図１０】ベースキャビネットとサイドキャビネットで構成される流し台に対し、機能ユニットを設置した状態の斜視構成図である。
【符号の説明】
【００２１】
１  流し台
１ａ  前面
１ｂ  背面
２  収納キャビネット
３  上面カウンター部
４  シンク
５  コンロ
６  機能ユニット
７  構造体
７ａ  右立上部
７ｂ  左立上部
７ｃ  水平部
８  吐水口
８ａ  水平管部
８ｂ  湾曲管部
８ｃ  垂直基部
８ｄ  給水ホース接続部
８ｅ  連結回動部
９ａ，９ｂ，９ｃ  カバー
１０  パイプフレーム
１１  支持部材
１２  フレーム底板
１２ａ  開口
１３  給水管
１３ａ  給水管立上部
１４  給水ホース
１５  レール
１６  スライド座板
１６ａ  水平部
１６ｃ  連結部
１７  電線
１８  機能収納部
１０１  ベースキャビネット
１０２  サイドキャビネット
【図１】
2008214917.tif 000003
【図２】
2008214917.tif 000004
【図３】
2008214917.tif 000005
【図４】
2008214917.tif 000006
【図５】
2008214917.tif 000007
【図６】
2008214917.tif 000008
【図７】
2008214917.tif 000009
【図８】
2008214917.tif 000010
【図９】
2008214917.tif 000011
【図１０】
2008214917.tif 000012